(57)【特許請求の範囲】
【請求項１】
筐体と、
前記筐体の前面に配置された通話用のマイク部及びレシーバ部と、
前記マイク部及び前記レシーバ部が配置された前面とは反対側の背面の前記筐体内に配置され、振動板を有し、前記振動板を振動させることにより鳴動する、鳴動機構と、
前記振動板と前記筐体の内面との間に形成される、前気室と、
前記筐体に形成され、前記前気室を前記筐体の外部と連通させる、音孔群と、
前記鳴動機構の動作を制御する、制御機構と、
を具備し、
前記制御機構は、前記振動板の振動によって前記前気室に侵入した水分が前記音孔群を介して排水されるように、可聴域よりも低い周波数帯域で振動するように前記鳴動機構を鳴動させ、
前記筐体は、前記前気室の中央部に対応する中央部分と、前記前気室の外周部に対応する外周部分と、前記中央部分と前記外周部分との間に形成される中間部分とを有し、
前記音孔群は、前記中間部分に設けられた中間音孔群を有している
音声出力装置。
【請求項２】
請求項１に記載された音声出力装置であって、
前記音孔群は、更に、前記中央部分に設けられた中央音孔を有し、
前記中間音孔群は、前記中央音孔を中心とする円周に沿って並ぶ、複数の中間音孔を備えている
音声出力装置。
【請求項３】
請求項１または２に記載された音声出力装置であって、
前記筐体内には、内部空間が形成され、
前記鳴動機構は、前記前気室と前記内部空間とを隔てるように配置されており、
前記鳴動機構の端部は、前記前気室に溜まった水が前記内部空間側に漏洩しないように、前記筐体の内面に連結されている
音声出力装置。
【請求項４】
請求項１乃至３のいずれかに記載された音声出力装置であって、
前記制御機構は、前記振動板が前記振動板の共振周波数で振動するように、前記鳴動機構を鳴動させる
音声出力装置。
【請求項５】
請求項１乃至４のいずれかに記載された音声出力装置であって、
前記制御機構は、起動時、着信時、着信音発生時、メロディのダウンロード時、ミュージック音再生時、カメラのシャッター音発生時、開閉合図音発生時、又はハンズフリー機能の使用時において、可聴域よりも低い周波数帯域で振動するように、前記鳴動機構を鳴動させる
音声出力装置。
【請求項６】
請求項１乃至４のいずれかに記載された音声出力装置であって、
前記制御機構は、ユーザに向けて可聴音を出力する旨の指示を受け付けた場合に、前記前気室に侵入した水が排水されるように前記鳴動機構を鳴動させた後、可聴音がユーザに向けて発せられるように前記鳴動機構を鳴動させる
音声出力装置。
【請求項７】
請求項１乃至６のいずれかに記載された音声出力装置であって、
前記制御機構は、排水用信号を前記鳴動機構に供給することにより、前記前気室に侵入した水が排水されるように前記鳴動機構を鳴動させ、可聴音用信号を前記鳴動機構に供給することにより、可聴音が出力されるように前記鳴動機構を鳴動させ、ユーザに向けて可聴音を出力する旨の指示を受け付けた場合に、前記排水用信号を前記可聴音用信号に重畳させて、前記鳴動機構に供給する
音声出力装置。
【請求項８】
請求項１乃至７のいずれかに記載された音声出力装置であって、
前記制御機構は、前記振動板の振動周波数が変動するように、前記鳴動機構を鳴動させる
音声出力装置。
【請求項９】
請求項１乃至８のいずれかに記載された音声出力装置であって、
更に、
前記前気室には、防塵用のメッシュ部材が設けられており、
前記メッシュ部材は、前記振動板の振動によって振動し、
前記メッシュ部材が振動することにより、前記前気室に侵入した水分が排水される
音声出力装置。
【請求項１０】
請求項１乃至９のいずれかに記載された音声出力装置であって、
更に、
前記前気室には、前記振動板に水分が付着することを防止する、防水シートが設けられており、
前記防水シートは、前記振動板の振動によって振動し、
前記防水シートが振動することにより、前記前気室に侵入した水分が排水される
音声出力装置。
【発明の詳細な説明】
【技術分野】
【０００１】
本発明は、音声出力装置に関する。
【背景技術】
【０００２】
携帯電話端末などの音声出力装置は、筐体、及びスピーカ（鳴動機構）を有している。スピーカは、筐体の内部に配置される。筐体には、スピーカで発せられた音声が外部に放出されるように、音孔が設けられる。
【０００３】
音孔を介して、筐体の内部に水が浸入してしまうことがある。水の浸入により、スピーカよって所望する音声を出力することが困難になる場合がある。筐体内に浸入した水を取り除くためには、例えば、音声出力装置を振り回したり、水が蒸発するのをまつしかない。一度筐体内に入り込んだ水は、なかなか取り除くことが難しい。
【０００４】
関連技術が、特許文献１（特開２００８−１６７０９７）に記載されている。特許文献１には、第１の筐体と第２の筐体とが折り畳まれる構造の電子機器において、第１の筐体に、閉状態で第２の筐体と対向するような位置にレシーバ音孔を設ける点と、第１の筐体に、第１の筐体内に停留した液体をレシーバ音孔に流入した空気によって流出させるためのレシーバサブ音孔を設ける点とが開示されている。
【０００５】
他の関連技術が、特許文献２（特開２０００−２０１３８８）に記載されている。特許文献２には、筐体の内部に設けられた電気信号／音響変換器と、筐体を内外に貫通して設けられた通音孔と、電気信号／音響変換器と通音孔とを連通させる導音部とを備えた電子機器の電気信号／音響変換部の構造であって、通音孔の筐体の内部側の端部の少なくとも一部が、導音部の隅部に位置すること、を特徴とする、電子機器の電気信号／音響変換部の構造が記載されている。特許文献２の記載によれば、導音部の内部に侵入してしまった異物が滞留しがちな隅部から通音孔を通して異物を外部に排出できる。
【０００６】
更に他の関連技術が、特許文献３（特開２００７−６７８９７）に記載されている。特許文献３には、スピーカグリル後方の内蔵スピーカと接続した出力アンプの印加電圧を、音声信号出力時より高くしたのち、アンプに音声信号に代えて低周波の連続した信号を入力し、その出力でもってスピーカを振動させて、スピーカグリル内の侵入水を排水するようにした携帯型無線通信機が開示されている。特許文献３には、横方向に形成されたスリット状のものを複数本並列に設ける点、各スリットは斜め下方向へ向けて開口させた構造となっている点が記載されている。
【０００７】
また、更に他の関連技術として、特許文献４（特開２０００−１３８９８７）には、スピーカの振動板に撥水塗料を塗布した防水スピーカが開示されている。
【先行技術文献】
【特許文献】
【０００８】
【特許文献１】特開２００８−１６７０９７
【特許文献２】特開２０００−２０１３８８
【特許文献３】特開２００７−６７８９７
【特許文献４】特開２０００−１３８９８７
【発明の概要】
【発明が解決しようとする課題】
【０００９】
特許文献２に記載されるように、隅部に通音孔を設けることにより、異物を排出しやすくなると考えられる。しかし、筐体内に水が浸入した場合には、水が導音部の中央部分に留まってしまい、排水され難くなってしまう。
【００１０】
また、排水能力を高めるために、音孔の面積を大きくすることが考えられる。しかしながら、音孔の面積を大きくすると、逆に水が浸入しやすくなってしまう。また、音孔の面積を大きくすると、音響共振点における音圧が小さくなり、良好な音響特性が得られ難くなる、という問題点があった。
【課題を解決するための手段】
【００１１】
本発明に係る音声出力装置は、筐体と、通話用のマイク部及びレシーバ部と、鳴動機構と、前気室と、音孔群と、制御機構とを具備する。マイク部及びレシーバ部は、筐体の前面に配置される。鳴動機構は、マイク部及びレシーバ部が配置された前面とは反対側の背面の筐体内に配置され、振動板を有する。鳴動機構は、振動板を振動させることにより鳴動する。前気室は、振動板と筐体の内面との間に形成される。音孔群は、筐体に形成され、前気室を筐体の外部と連通させる。制御機構は、鳴動機構の動作を制御する。制御機構は、振動板の振動によって前気室に侵入した水分が音孔群を介して排水されるように、可聴域よりも低い周波数帯域で振動するように鳴動機構を鳴動させる。筐体は、前気室の中央部に対応する中央部分と、前気室の外周部に対応する外周部分と、中央部分と外周部分との間に形成される中間部分とを有する。音孔群は、中間部分に設けられた中間音孔群を有している。
【発明の効果】
【００１２】
本発明によれば、排水性能を高めた上、良好な音響特性を得ることのできる、音声出力装置が提供される。
【図面の簡単な説明】
【００１３】
【図１Ａ】第１の実施形態に係る音声出力装置を示す概略図である。
【図１Ｂ】閉状態における携帯電話端末を示す概略図である。
【図２】図１ＢのＡＡ断面を示す断面図である。
【図３】制御機構を概略的に示すブロック図である。
【図４】音声出力装置の排水時における動作方法を示すフローチャートである。
【図５】振動板が振動した際の様子を概略的に示す断面図である。
【図６】第１の実施形態の変形例に係る音声出力装置の動作方法を示すフローチャートである。
【図７】第２の実施形態に係る音声出力装置を示す概略断面図である。
【図８】第３の実施形態に係る音声出力装置を示す概略断面図である。
【発明を実施するための形態】
【００１４】
以下に、図面を参照しつつ、本発明の実施形態について説明する。
【００１５】
（第１の実施形態）
図１Ａは、本実施形態に係る音声出力装置を示す概略図である。本実施形態では、音声出力装置として、折り畳み型の携帯電話端末１について説明する。図１Ａには、開状態における携帯電話端末１が示されている。
【００１６】
図１Ａに示されるように、携帯電話端末１は、第１筐体２、及び第２筐体３を備えている。第１筐体２と第２筐体３とは、折り畳み可能になるように、連結されている。
【００１７】
第１筐体２には、レシーバ部４及び表示部５が設けられている。レシーバ部４は、通話時に、通話相手の音声を出力するために設けられている。ユーザは、通話時に、レシーバ部４に耳をあてることにより、通話相手の音声を聞くことができる。表示部5は、ユーザに対して必要な情報を表示する部分である。表示部5には、文字、記号、及び図形等の情報が表示される。
【００１８】
第２筐体３には、キー操作部４、及びマイク部６が設けられている。キー操作部４は、ユーザが携帯電話端末１を操作するために用いる部分である。ユーザは、キー操作部４を用いて、ダイヤル情報の入力、及び各種設定情報の入力などを行うことができる。マイク部５は、通話時に、ユーザの音声を通話相手に伝えるために設けられている。マイク部５は、ユーザの音声を集音し、電気信号に変換する。電気信号は、通話相手側の装置へ送信される。
【００１９】
図１Ｂは、閉状態における携帯電話端末１を示す概略図である。図１Ｂに示されるように、第１筐体２の内部には、鳴動機構として、スピーカ７が配置されている。そして、第１筐体２には、スピーカ７で発せられた音声を外部に放出するために、音孔群８が設けられている。尚、スピーカ７と第１筐体２の内壁との間には、後述する前気室が形成されている。着信時、メロディのダウンロード時、およびハンズフリー機能の使用時等においては、スピーカ７が可聴音を発する。発せられた可聴音は、前気室から音孔群８を通じて外部に放射される。これにより、ユーザは、着信の存在を知ったり、所望する音楽を聞くことができる。
【００２０】
ここで、音孔群８は、中間音孔群８−１と、中央音孔８−２とを備えている。中央音孔８−２は、前気室の中央部に面する位置に設けられている。尚、中央部は、前気室の重心に対応する部分であるものとする。
【００２１】
一方、中間音孔群８−１は、中間部分に設けられている。中間部分は、中央部分と外周部分との間に形成される部分である。中央部分とは、前気室の中央部に面する部分であり、外周部分とは、前気室の外周部に対応する部分である。そして、中間音孔群８−１は、複数の中間音孔を有している。複数の中間音孔は、中央音孔８−２を中心とする円周に沿って、並んでいる。
【００２２】
次いで、第１筐体２の内部構成について説明する。
【００２３】
図２は、図１ＢのＡＡ断面を示す断面図であり、第１筐体２の断面を示している。図２に示されるように、第１筐体２は、前面及び背面を有している。前面は、閉状態において第２筐体３と対向する面であり、背面は、閉状態において外側を向く面である。図２に示されるように、第１筐体２の内部には、基板１０、及びスピーカ７が配置されている。また、第１筐体２の前面には、表示部５が嵌め込まれている。
【００２４】
表示部５は、正面液晶１１、及びスクリーン９を有している。正面液晶１１は、文字、記号、及び図形等を映し出すＬＣＤ（Ｌｉｑｕｉｄ  Ｃｒｙｓｔａｌ  Ｄｉｓｐｌａｙ）やバックライトなどを含んでいる。スクリーン９は、透明材料により形成され、正面液晶１１の表面を保護している。
【００２５】
スピーカ７は、フレーム１７、プロテクタ２０、振動板１８、ボイスコイル１６、ヨーク１４、及び磁石１５を備えている。ここで、第１筐体２の背面における内壁には、フレーム１７に対応する形状のリブ２２が形成されている。リブ２２は、内壁から、第１筐体２の内部に向かって突き出ている。リブ２２の高さは、例えば、０．５〜１．０ｍｍ程度である。リブ２２の先端部には、クッション２１（弾性部材）を介して、プロテクタ２０が取り付けられている。プロテクタ２０は、振動板１８を保護するために設けられており、クッション２１とフレーム１７とによって挟まれている。フレーム１７は、振動板１８及びヨーク１４を支持するために設けられている。ヨーク１４は、フレーム１７の底面から、前面側に向かって突き出るように、配置されている。ヨーク１４上には、背面側に、磁石１５が配置されている。振動板１８は、磁石１５及びヨーク１４の背面側に配置されている。ボイスコイル１６は、振動板１８に連結されており、ヨーク１４および磁石１５によって形成される磁界内に位置している。このスピーカ７では、ボイスコイル１６に正負の電流が流れると、ヨーク１４及び磁石１５により形成される磁界によってボイスコイル１６が変位する。その結果、振動板１８が振動し、音声が出力される。
【００２６】
ここで、振動板１８の表面は、フッ素樹脂の塗布などにより、撥水加工が施されていることが好ましい。振動板１８の表面が撥水性を有していることにより、振動板１８が振動したときに、前気室２３内の水がはじかれ易くなり、排水され易くなる。
【００２７】
また、スピーカ７は、防水構造が形成されるように、構成されている。具体的には、スピーカ７は、第１筐体２の内部を、前気室２３と内部空間１９とに分けるように、配置されている。前気室２３は、振動板１８と第１筐体２の内壁との間に形成される空間である。フレーム１７及びプロテクタ２０は、前気室２３に侵入した水が内部領域１９側へ漏れないように、クッション２１を介して第１筐体２の内壁に連結されている。また、クッション２１は、前気室２３に侵入した水が内部領域１９側へ漏れないように、十分に圧縮されて配置されている。振動板１８の外周部も、前気室２３に侵入した水が内部領域１９側へ漏れないように、全周でフレーム１７に連結されている。
【００２８】
次いで、基板１０について説明する。基板１０は、内部領域１９に配置されている。図２には描かれていないが、基板１０上には、携帯電話端末１の各種機能（排水機能、メロディ鳴動、発着呼、メール送受信など）を実現するための制御部品（ＤＳＰ（Ｄｉｇｉｔａｌ  Ｓｉｇｎａｌ  Ｐｒｏｃｅｓｓｏｒ）、ＣＳＰ（Ｃｈｉｐ  Ｓｃａｌｅ  Ｐａｃｋａｇｅ）、音源ＩＣ、Ｄ／Ａ変換器、アンプ、抵抗、コンデンサなど）が実装されている。
【００２９】
ここで、基板１０上には、スピーカ７の動作を制御する制御機構が実装されている。図３は、制御機構を概略的に示すブロック図である。図３に示されるように、制御機構は、制御部２７、音源ＩＣ２４、Ｄ／Ａ変換器１２、及びＳＰＫアンプ１３を有している。音源ＩＣ２４は、音源情報を格納している。制御部２７は、図示しないＲＯＭ（Ｒｅａｄ  Ｏｎｌｙ  Ｍｅｍｏｒｙ）に格納された制御プログラムがＣＰＵにより実行されることで、実現される。制御部２７は、音源ＩＣ２４に格納される音源情報に基づいて、鳴動信号を生成する。鳴動信号は、Ｄ／Ａ変換器１２によってアナログ信号に変換され、ＳＰＫアンプ１３によって増幅された後、スピーカ７に供給される。スピーカ７では、鳴動信号に応じてボイスコイル１６に電流が流れ、振動板１８が振動する。
【００３０】
音源情報は、及びユーザに音声を聞かせるために用いられる可聴音用音源情報と、排水のために用いられる排水用音源情報とを含んでいる。可聴音用音源情報が制御部２７によって選択された場合には、鳴動信号として、可聴音用信号がスピーカ７に供給される。この場合、スピーカ７は、可聴音を発する。その可聴音としては、例えば、電源が入れたときに発生される起動音、着信音、ミュージック再生音、カメラのシャッター音、開閉合図音、及びハンズフリー通話時における通話音などが挙げられる。一方、排水用音源情報が制御部２７によって選択された場合には、鳴動信号として、排水用信号がスピーカ７に供給される。この場合、スピーカ７では、振動板１８が、前気室２３に侵入した水が排水されるように、振動する。
【００３１】
排水用音源情報としては、例えば、振動板１８が共振周波数で振動するような情報、及び振動板１８が可聴周波数よりも低い周波数（例えば１００Ｈｚ）で振動するような情報などが好適に用いられる。振動板１８が共振周波数で振動すれば、振動振幅を最大にすることができ、前気室２３内の水が速やかに排水される。振動板１８が可聴周波数よりも低い周波数で振動すれば、ユーザまたは周囲の人に水抜きをしている事を気付かれることなく、排水を行うことが可能になる。また、排水用音源情報として、振動板１８の振動周波数が、予め設定された周波数帯域内で時間と共に変化するような情報を用いることも好ましい。高い排水効果を得ることのできる周波数は、音孔群８の面積や前気室２３の容積により、異なると考えられる。振動板１８の振動周波数を変動させることにより、排水に有効な周波数帯を網羅することが可能になる。
【００３２】
次いで、本実施形態に係る音声出力装置の動作方法について説明する。図４は、音声出力装置の排水時における動作方法を示すフローチャートである。
【００３３】
ステップＳ−１：
携帯電話端末１が、水に濡れたとする。この場合、音孔８を介して、前気室２３に水が浸入することがある。このような場合、ユーザは、キー操作部４を用いて、排水指示を携帯電話端末１に入力する。携帯電話端末１では、制御部２７が、排水指示が入力されたか否かを判定している。排水指示を受け付けた場合、制御部２７は、次のステップＳ−２の動作を行う。
【００３４】
ステップＳ−２：
排水指示を受け付けた場合、制御部２７は、音源ＩＣ２４から排水用音源情報を選択し、鳴動信号として排水用信号を生成する。これにより、スピーカ７では、振動板１８が振動する。図５は、振動板１８が振動した際の様子を概略的に示す断面図である。図５に示されるように、振動板１８の振動により、前気室２３に侵入した水は、音孔群８を介して外部へ排出される。
【００３５】
ステップＳ−３：
その後、ユーザが排水停止指示を携帯電話端末１に入力すると、制御部２７はスピーカ７の動作を停止させる。尚、制御部２７は、予め設定された時間が経過したときに、自動的にスピーカ７の動作を停止させてもよい。
【００３６】
ここで、本実施形態によれば、中間音孔群８−１が設けられているために、排水性能が高められている。中間音孔群８−１は、既述のように、前気室２３の中央部と、前気室２３の外周部との間に対応する位置に、設けられている。前気室２３の外周部に対応する位置に音孔が設けられている場合には、前気室２３の中央部分に水が滞留しやすくなる。一方、前気室２３の中央部分にのみ音孔が設けられている場合には、前気室２３の外周部に水が滞留しやすくなる。これに対して、本実施形態では、中間音孔群８−１が設けられていることにより、前気室２３の外周部に存在する水が、中間音孔群８−１を介して排水されやすくなる。また、前気室２３の中央部に存在する水は、中央音孔８−２により、排水される。すなわち、本実施形態によれば、前気室２３のどの部分に水が存在していても、容易に排水を行うことが可能になる。前気室２３に水が溜まっている場合には、スピーカ７が可聴音を発生させたときに、振動板１８の振動が抑制され、発せられる可聴音の音圧が極端に小さくなってしまう。これに対して、本実施形態によれば、容易に排水を行うことが可能となるので、可聴音の音圧の低下を防止することが可能になる。
【００３７】
また、本実施形態では、中央音孔８−１を中心とする円周に沿って、複数の中間音孔が並べられている。このようなレイアウトを採用することにより、前気室２３のどの部分に水が存在していても、容易に排水を行うことが可能になる。
【００３８】
また、本実施形態では、排水効率が高められる結果、音孔群８の面積を小さくすることが可能になる。その結果、音響共振点における音圧の低下を最小限に抑えることができる。そのため、スピーカ７が可聴音を出力する場合における音響特性を良好な状態に維持することができる。
【００３９】
また、音孔群８の面積は、排水効果が最大限に発揮されるような面積に調整されていることが好ましい。そのような面積は、振動板１８の振動威力や前気室２３の容積に基づいて、調整することができる。例えば、特許文献３（特開２００７−６７８９７）に記載されるように、音声信号出力時より高い電圧を出力アンプに印加した場合には、スピーカに過電圧による負担が加わり、故障の原因になることがある。これに対して、音孔群８の面積を調整することにより、排水用信号として、可聴音用信号よりも最大電圧が高い信号を、特別にスピーカ７に加える必要がなくなる。その結果、スピーカ７に過電圧による負担が加わらず、スピーカ７が故障する可能性を低くすることができる。
【００４０】
尚、本実施形態では、ユーザから与えられる排水指示に応じて排水動作が行われる場合について説明した。但し、排水動作は、必ずしも、ユーザによって与えられる排水指示に応じて実行される必要はない。この点について、変形例を用いて、説明する。
【００４１】
図６は、本実施形態の変形例に係る音声出力装置の動作方法を示すフローチャートである。この変形例に係る音声出力装置では、制御部２７の動作が変更されている。その他の構成及び動作については、本実施形態と同様であるものとする。
【００４２】
ステップＳ−４：
着信時や、アラーム発生時などにおいては、制御部２７に対して、可聴音を発生させる旨を示す指示が与えられる。
【００４３】
ステップＳ−５：
可聴音の発生指示を受け付けると、制御部２７は、音源情報から排水用音源情報を選択する。これにより、鳴動信号として排水用信号をスピーカ７に供給される。その結果、スピーカ７において振動板１８が振動し、前気室２３に存在する水が排水される。排水用信号は、所定の時間（例えば５秒間）、供給される。
【００４４】
ステップＳ−６：
排水用信号が５秒間供給された後、制御部２７は、音源情報から可聴音用音源情報を選択する。これにより、鳴動信号として、可聴音用信号がスピーカ７に供給される。その結果、スピーカ７から可聴音が発せられ、ユーザはスピーカ７が発した音を聞くことができる。
【００４５】
ステップＳ−７：
その後、可聴音の停止指示が制御部２７に与えられると、制御部２７は、可聴音信号の供給を停止し、処理を終了する。
【００４６】
上述の変形例の動作によれば、排水処理が、可聴音を発生させる際の前動作として行われる。そのため、ユーザは、排水処理を行うために特別な操作をする必要がなく、利便性を向上させることができる。
【００４７】
以上説明したように、本実施形態によれば、音孔群８のレイアウトが工夫されていることにより、効率よく排水を行うことが可能になる。
【００４８】
尚、本実施形態では、制御部２７が、可聴音用信号をスピーカ７に供給するタイミングとは別のタイミングで、排水用信号をスピーカ７に供給する。但し、制御部２７が、可聴音信号に排水用信号を重畳させてスピーカ７に供給するように、構成されていてもよい。
【００４９】
また、本実施形態では、第１筐体２にリブ２２が設けられている場合について説明した（図２参照）。但し、前気室２３の水が内部空間１９側に漏洩しないように、スピーカ７が第１筐体２に支持されていれば、リブ２２は必ずしも設けられている必要はない。例えば、スピーカ７と第１筐体２の内壁とを、両面テープやクッションを介して密着させることにより、前気室２３が形成されてもよい。
【００５０】
また、本実施形態では、プロテクタ２０が設けられている場合について説明した（図２参照）。ただし、プロテクタ２０は必ずしも設けられている必要はなく、スピーカ７の実装位置や条件によっては、プロテクタ２０が設けられていなくてもよい。
【００５１】
また、本実施形態では、鳴動機構として、スピーカ７が用いられる場合について説明した。但し、鳴動機構としてはスピーカ７に限定されるものではない。例えば、鳴動機構として、固定電話機、ビデオカメラ、デジタルカメラ、ＰＨＳ、ＩＣレコーダ、レシーバ、圧電スピーカ、音楽再生プレイヤー、及び複合部品などが用いられてもよい。
【００５２】
また、本実施形態では、音声出力装置として、折り畳み型の携帯電話端末が用いられる場合について説明した。但し、音声出力装置は、鳴動機構が実装されている装置であればよく、折り畳み型の携帯電話端末に限定されるものではない。例えば、音声出力装置として、一体型の携帯電話端末、スライド式の携帯電話端末、ページャ、ＰＨＳ、音楽再生プレイヤー、デジタルカメラなどを用いることも可能である。
【００５３】
また、本実施形態では、音声出力装置１に防水構造が形成されている場合について説明した。すなわち、前気室２３内の水が内部空間１９側に漏れないように、スピーカ７が取り付けられている場合について説明した。但し、音声出力装置１に防水構造が形成されていない場合であっても、本発明は適用可能である。この場合、水濡れによる電子部品のショートを回避するため、音声出力装置１の電源がオフにされる。そして、水が乾くのを待った後、電源が入れられる。ここで、電源を入れたタイミングで、排水用信号がスピーカ７に供給されれば、前気室２３に溜まってしまった水を排出することができ、元の良好な音響特性に戻すことが可能となる。
【００５４】
また、本実施形態では、中間音孔群８−１が、中央音孔８−２を中心とする円周に沿って配置されている場合について説明した。但し、中間音孔群８−１は、必ずしもその円周の全周に沿って配置されている必要はなく、デザイン上は位置が難しい場合には、円周上の一部に設けられていてもよい。この場合であっても、振動板の振動により、音孔が設けられていない部分に溜まった水が、中央音孔８−２または中間音孔群８−１を介して、排水され易くなる。
【００５５】
（第２の実施形態）
続いて、第２の実施形態について説明する。図７は、本実施形態にかかる音声出力装置１を示す概略断面図である。本実施形態では、第１の実施形態に対して、防塵メッシュ部材２５が追加されている。その他の点については、第１の実施形態と同様の構成を採用することができるので、詳細な説明は省略する。
【００５６】
図７に示されるように、防塵メッシュ部材２５は、前気室２３に設けられている。防塵メッシュ部材２５は、振動板１８よりも背面側に設けられており、前気室２３を第１室２３−１と第２室２３−２とに分割している。第１室２３−１は、防塵メッシュ部材２５よりも背面側に形成される空間であり、第２室２３−２は、防塵メッシュ部材２５よりも前面側に形成される空間である。防塵メッシュ部材２５の端部は、リブ２２とクッション部材２１とによって挟まれている。また、防塵メッシュ部材１５には、撥水加工が施されている。
【００５７】
本実施形態によれば、防塵メッシュ部材２５により、音孔群８から第１室２３−１内に侵入した埃などの異物が、第２室２３−２側へ侵入することが防止される。また、防塵メッシュ部材２５に撥水加工が施されていることにより、第２室２３−２側へ水が浸入することが、ある程度防止される。
【００５８】
本実施形態では、音声出力装置１が水没した場合、第１室２３−１に水が溜まることになる。本実施形態においても、制御部２７によって排水用信号がスピーカ７に供給されると、振動板１８が振動する。振動板１８の振動により、防塵メッシュ部材２５も空気振動により振動する。その結果、第１室２３−１に溜まった水が、防塵メッシュ部材２５により弾かれ、音孔群１８を介して外部へ排出される。尚、この際、防塵メッシュ部材２５がその共振周波数で振動するように、排水用信号がスピーカ７に供給されることが好ましい。
【００５９】
尚、本実施形態では、防塵メッシュ部材１５の端部が、クッション２１とリブ２２に挟まれている場合について説明した。ただし、防塵メッシュ部材１５は、埃などの異物が第２室２３−２側へ侵入することが防止されるように配置されていればよい。例えば、防塵メッシュ部材１５は、プロテクタ２０に貼り付けられていてもよい。
【００６０】
（第３の実施形態）
次いで、第３の実施形態について説明する。図８は、本実施形態に係る音声出力装置を示す概略断面図である。本実施形態では、第２の実施形態における防塵メッシュ部材25が、防水シート２６に変更されている。その他の点については、第２の実施形態と同様の構成を採用することができるので、詳細な説明は省略する。
【００６１】
防水シート２６は、水を透過させない材料により形成される。防水シート２６は、例えば、ペット（ＰＥＴ；ポリエチレンテレフタレート）フィルムなどにより形成することができる。
【００６２】
防水シート２６を設けることにより、第１室２３−１に溜まった水が第２室２３−２側へ漏れることが防止される。また、第２の実施形態と同様に、第１室２３−１に入り込んだ異物が第２室２３−２に侵入することも防止される。本実施形態においても、排水時には、振動板１８の振動によって防水シート２６が振動し、第１室２３−１に溜まった水が排水される。尚、この際、防水シート２６が防水シート２６の共振周波数で振動するように、排水用信号がスピーカ７に供給されることが好ましい。
【００６３】
本実施形態によれば、防水シート２６を用いることにより、第１の実施形態よりも効率よく、前気室２３に浸入した水を排水することができる。但し、防水シート２６を設けた場合には、防水シート２６に要する費用が生じる。また、前気室２３に防水シート２６を設けるためのスペースが必要となる。更に、可聴音を発生させる場合には、防水シート２６の存在によって、所望する音を放射することが困難になることがある。これら観点においては、第１の実施形態の構成を採用する方が好ましい。
【符号の説明】
【００６４】
１  携帯電話端末（音声出力装置）
２  第１筐体
３  第２筐体
４  レシーバ部
５  表示部
６  マイク部
７  スピーカ（鳴動機構）
８  音孔群
８−１  中間音孔群
８−２  中央音孔
９  スクリーン
１０  基板
１１  正面液晶
１２  Ｄ/Ａ変換器
１３  ＳＰＫアンプ
１４  ヨーク
１５  磁石
１６  ボイスコイル
１７  フレーム
１８  振動板
１９  内部空間
２０  プロテクタ
２１  クッション
２２  リブ
２３  前気室
２４  音源ＩＣ（制御機構）
２５  防塵メッシュ部材
２６  防水シート
２７  制御部
【図１Ａ】
0005578313.tif 000002
【図１Ｂ】
0005578313.tif 000003
【図２】
0005578313.tif 000004
【図３】
0005578313.tif 000005
【図４】
0005578313.tif 000006
【図５】
0005578313.tif 000007
【図６】
0005578313.tif 000008
【図７】
0005578313.tif 000009
【図８】
0005578313.tif 000010